(57)【特許請求の範囲】
【請求項１】
隣り合うもの同士が互いに隙間をあけて上下方向に配列される複数のルーバー状のパネル本体と、
最上部に位置する前記パネル本体のパネル上方側に設けられる整流板と、
該整流板に設けられパネル後方からの空気を前記最上部に位置する前記パネル本体のパネル表面に沿って流通するように放出する吹出し口と、
を備え、
前記パネル本体同士の間の隙間を通じてパネル表面側の空間とパネル裏面側の空間とが連通し、
最上部に設けられる前記パネル本体には、そのパネル上部部分からパネル後側下方に向けて延びる遮風板が設けられ、
前記整流板は、前記遮風板の遮風面に対して間隔をあけて配置されていることを特徴とする太陽光発電パネル。
【請求項２】
最下段に位置する前記パネル本体には、そのパネル下部部分から下方に向けて延びる下部遮風板が設けられていることを特徴とする請求項１に記載の太陽光発電パネル。
【請求項３】
隣り合うもの同士が互いに隙間をあけて上下方向に配列される複数のルーバー状のパネル本体と、
最上部に位置する前記パネル本体のパネル上方側に設けられる整流板と、
該整流板に設けられパネル後方からの空気を前記最上部に位置する前記パネル本体のパネル表面に沿って流通するように放出する吹出し口と、
を備え、
前記パネル本体同士の間の隙間を通じてパネル表面側の空間とパネル裏面側の空間とが連通し、
上下に隣り合う前記パネル本体同士のうち上側に位置するパネル本体が、下側に位置するパネル本体よりもパネル後方側に配置され、
前記パネル後方側に位置するパネル本体の下端部が、パネル前方側に隣り合うパネル本体の上端部の上方に、パネル面方向に直交する方向に流路をあけて重ね合わされていることを特徴とする太陽光発電パネル。
【発明の詳細な説明】
【技術分野】
【０００１】
本発明は、太陽光発電パネルに関する。
【背景技術】
【０００２】
従来、住宅の屋根や架台等に設けられる太陽光発電パネルでは、そのパネル表面に土埃、鳥の糞や化学物質（粉塵）が付着する。これらの付着物が雨だけで落ちることはないため、清掃、メンテナンスが必要となるが、その作業が困難となっている。これに対応するため、高所作業が可能な清掃装置を用いてパネル表面を清掃することが例えば、特許文献１に提案されている。
【０００３】
さらに、太陽光発電パネルが高温になると、発電能力が低下することから、冷水をパネル表面に流水して冷却することが行われている。例えば、特許文献２には、パネル表面に散水することにより、太陽光発電に伴う温度上昇を防止する散水設備について開示されている。
【先行技術文献】
【特許文献】
【０００４】
【特許文献１】特開２０１１−４０５９２号公報
【特許文献２】特開２０１０−１２９６７７号公報
【発明の概要】
【発明が解決しようとする課題】
【０００５】
しかしながら、従来の太陽光発電パネルでは、以下のような問題があった。
すなわち、従来の架台によって支持される太陽光発電パネルでは、図１４に示すように、例えばパネル１００の後方（図１４で右側）から風Ｅが吹き付ける場合、風下側に後流渦Ｕが発生することでパネル上部に負圧が発生し、パネル１００に対する浮き上がり力Ｐが作用してパネル１００自体、或いは架台１０１とともに浮き上がるという問題があった。
また、特許文献１の清掃装置を用いてパネル表面を清掃する場合、特別な清掃装置を用いる必要があり、その点で改良する余地があった。
さらに、特許文献２では、特別な冷却装置が必要であり、冷却装置に供給する水の確保が困難であるうえ、装置を稼動させるための動力が必要となる。しかも、この場合には、パネル表面に水膜が生じることにより、発電効率が低下するという問題があった。
【０００６】
本発明は、上述する問題点に鑑みてなされたもので、風下側の後流渦の発生を防ぎ、パネル上部での負圧の発生を抑えることで、太陽光発電パネルの浮き上がりを防止することができる太陽光発電パネル用整流架台を提供することを目的とする。
また、本発明の他の目的は、パネル表面の清掃の手間を低減することができるうえ、特別な冷却設備を設けることなく、簡単な構成でパネル表面を冷却して発電効率の低下を防止することができる太陽光発電パネル用整流架台を提供することである。
【課題を解決するための手段】
【０００７】
上記目的を達成するため、本発明に係る太陽光発電パネルでは、隣り合うもの同士が互いに隙間をあけて上下方向に配列される複数のルーバー状のパネル本体と、最上部に位置するパネル本体のパネル上方側に設けられる整流板と、整流板に設けられパネル後方からの空気を最上部に位置するパネル本体のパネル表面に沿って流通するように放出する吹出し口と、を備え、パネル本体同士の間の隙間を通じてパネル表面側の空間とパネル裏面側の空間とが連通し、最上部に設けられる前記パネル本体には、そのパネル上部部分からパネル後側下方に向けて延びる遮風板が設けられ、前記整流板は、前記遮風板の遮風面に対して間隔をあけて配置されていることを特徴としている。
【０００８】
本発明では、太陽光発電パネルの後方から風が吹いた場合、風上側となるパネル上方側に設けられた整流板の下面側に空気が流れ込み、その空気が吹出し口から最上部に設けられるパネル本体のパネル表面に向かう強制風として吹き出されることになる。また、最上部を除いたパネル本体においては、上下に位置する各パネル本体同士の間の隙間を通じてパネル後方から吹く風がパネル表面側に向けて通過し、この通過風もパネル表面に沿って流通する強制風となる。
また、太陽光発電パネルの前方から風が吹いた場合、その空気が各パネル本体のパネル表面を通過し、パネル本体同士の間の隙間（最上部のパネル本体では吹出し口）に流れ込み、パネル後方へ放出されることになる。つまり、上記隙間や吹出し口を設けることにより、それぞれのパネル表面に沿って空気が流通し易くなり、この通過風が強制風となる。
【０００９】
このように、パネル表面において風上側から風下側へ向けて強制的に送風することにより、風下側で後流渦が発生しにくくなり、さらに渦がパネル表面に付着しにくくなる。そのため、パネル上部での負圧が減少することになり、パネル本体、或いはパネル本体を支持する架台の負圧を原因とした浮き上がりを抑制することができる。
さらに、整流板を設けることで、その整流板の上下面を通過する空気の圧力差で整流板自体に下向きの力（ダウンフォース）が発生することになる。したがって、整流板によって架台を介して太陽光発電パネルが下方に押さえ付けられるので、パネル自体、或いは架台の浮き上がりをより確実に抑制することができる。
【００１０】
また、パネル表面に強制風を吹き掛けることにより、その表面に付いている土埃や粉塵等の汚れを吹き飛ばすことが可能となり、パネル表面部分に空気が停滞するのを防ぐことができるため、汚れが付着しにくくなる利点がある。
さらに、パネル表面に強制風を吹き掛けることにより、太陽光発電パネルの発電時の温度上昇を抑制することができ、発電効率を向上させることができる。
【００１２】
また、太陽光発電パネルの後方から風を受けるとき、風上側に設けられた遮風板と整流板との間に空気が流れ込み、遮風板に沿って吹出し口側へ向けて流れる。つまり、遮風板と整流板とで後方からの風を集め、その空気を吹出し口から最上部に設けられるパネル表面に向けて強制風として吹き出すことができる。つまり、遮風板によって、より多くの風を集めることが可能となるので、強制風の風量（風速）を大きくすることができ、パネル表面の清浄作用や温度上昇抑制作用による効果を高めることができる。
【００１３】
また、本発明に係る太陽光発電パネルでは、最下段に位置するパネル本体には、そのパネル下部部分から下方に向けて延びる下部遮風板が設けられていることが好ましい。
本発明では、太陽光発電パネルの前方から風が吹いた場合、下部遮風板によって集められた空気が最下部に設けられるパネル本体のパネル表面に向けて強制風として吹き出されるため、パネル表面に沿って流通する強制風をより確実に形成することができる。
さらに、整流板を設けることで、その整流板の上下面を通過する空気の圧力差で整流板自体に下向きの力（ダウンフォース）が発生することになる。したがって、整流板によって架台を介して太陽光発電パネルが下方に押さえ付けられるので、パネル自体、或いは架台の浮き上がりをより確実に抑制することができる。
【００１４】
本発明に係る太陽光発電パネルでは、隣り合うもの同士が互いに隙間をあけて上下方向に配列される複数のルーバー状のパネル本体と、最上部に位置する前記パネル本体のパネル上方側に設けられる整流板と、該整流板に設けられパネル後方からの空気を前記最上部に位置する前記パネル本体のパネル表面に沿って流通するように放出する吹出し口と、を備え、前記パネル本体同士の間の隙間を通じてパネル表面側の空間とパネル裏面側の空間とが連通し、上下に隣り合う前記パネル本体同士のうち上側に位置するパネル本体が、下側に位置するパネル本体よりもパネル後方側に配置され、前記パネル後方側に位置するパネル本体の下端部が、パネル前方側に隣り合うパネル本体の上端部の上方に、パネル面方向に直交する方向に流路をあけて重ね合わされていることを特徴としている。
【発明の効果】
【００１５】
本発明の太陽光発電パネルによれば、すべてのパネル本体のパネル表面に積極的に風を流通させることで、パネルの風下側の後流渦の発生を防ぎ、パネル上部での負圧の発生を抑えることが可能となり、各パネル本体の浮き上がり防止することができる。
また、少なくとも風が吹いているときには、パネル表面に常時空気が流れる状態となって空気の停滞を防ぐことができることから、土埃や粉塵等の付着を少なくすることができ、パネル表面の清掃にかかる手間を低減することができる。
しかも、本発明の太陽光発電パネルによれば、特別な冷却設備が不要であり、簡単な構成によりパネル表面を冷却して発電効率の低下を防止することができるという効果を奏する。
【図面の簡単な説明】
【００１６】
【図１】本発明の第１の実施の形態による太陽光発電パネルを前方から見た斜視図である。
【図２】図１に示す太陽光発電パネルを後側より見た斜視図である。
【図３】太陽光発電パネルの側面図である。
【図４】太陽光発電パネルの空気の流れを示す側面図であって、（ａ）は後方からの風の流れを示す図、（ｂ）は前方からの風の流れを示す図である。
【図５】第２の実施の形態による太陽光発電パネルを前方から見た斜視図である。
【図６】図５に示す太陽光発電パネルを後側より見た斜視図である。
【図７】図５に示す太陽光発電パネルの側面図である。
【図８】図５の太陽光発電パネルの空気の流れを示す側面図であって、（ａ）は後方からの風の流れを示す図、（ｂ）は前方からの風の流れを示す図である。
【図９】第３の実施の形態による太陽光発電パネルを前方から見た斜視図である。
【図１０】図９に示す太陽光発電パネルを後側より見た斜視図である。
【図１１】図９に示す太陽光発電パネルの側面図である。
【図１２】図９の太陽光発電パネルの空気の流れを示す側面図であって、（ａ）は後方からの風の流れを示す図、（ｂ）は前方からの風の流れを示す図である。
【図１３】本実施の形態の変形例による太陽光発電パネルの構成を示す側面図である。
【図１４】従来の太陽光発電パネルに対する空気の流れを示す側面図である。
【発明を実施するための形態】
【００１７】
以下、本発明の実施の形態による太陽光発電パネルについて、図面に基づいて説明する。
【００１８】
（第１の実施の形態）
図１に示すように、本実施の形態による太陽光発電パネル１は、例えば建築物の屋根や屋上などに設置され、架台本体５によって下方より支持されている。
図１乃至図３に示すように、太陽光発電パネル１は、パネル表面２ａに太陽電池モジュールを有するとともに、隣り合うもの同士が互いに隙間（流路Ｓ）をあけて上下方向に配列される複数（ここでは３枚）のルーバー状のパネル本体２（２Ａ、２Ｂ、２Ｃ）と、最上部に位置するパネル本体２のパネル上方側に設けられる整流板３と、整流板３に設けられパネル後方からの空気Ｅを最上部に位置するパネル本体２Ａのパネル表面２ａに沿って流通するように放出する吹出し口４とを備えて概略構成されている。そして、パネル本体２同士の間の流路Ｓを通じてパネル表面２ａ側とパネル裏面２ｂ側（裏側空間Ｒ）とが連通している。
また、パネル下部部分に位置するパネル本体２Ｃには、パネル下方側に向けて延びる下部遮風板７と、下部遮風板７の前方側の遮風面７ａに対して間隔をあけるとともに、下部遮風板７の遮風面７ａに対して下方側に向けて開くようにして配置された下部整流板８とが設けられている。
【００１９】
なお、太陽光発電パネル１は、受光面をなすパネル表面２ａを南向きに斜めに配置されている。ここで、図１における設置状態において、パネル裏面２ｂ側を「後方」、「後側」といい、パネル表面２ａ側を「前方」、「前側」という。
【００２０】
架台本体５は、Ｈ型鋼材や溝形鋼材（チャンネル鋼材）などが組み合わされた構成であり、設置面に固定されるベース５１と、ベース５１に立設されてパネル本体２を所定の傾斜角度で支持する支柱５２と、からなる。そして、パネル本体２は、それぞれ支柱５２によって支持され、パネル裏面２ｂ側に上述した裏側空間Ｒを有する状態となっている。
【００２１】
パネル本体２Ａ、２Ｂ、２Ｃは、平板状をなし、ルーバー状に一方向（斜め下向き）に配列された構成となっており、それぞれ所定の方向（南向き）に向けた傾斜角度で隙間（流路Ｓ）をあけて平行に配置されている。つまり、上下に隣り合うパネル本体２、２同士のうち上側に位置するパネル本体２の下端部と下側に位置するパネル本体２の上端部とがそれぞれのパネル面方向に直交する方向に流路Ｓをあけて重ね合わせた状態になっている。なお、このパネル面方向のオーバーラップ長は、任意に設定することが可能である。
【００２２】
整流板３は、パネル本体２の幅方向Ｘに沿って延びるとともに下面側が流線形となる羽根形状をなし、最上部に設けられるパネル本体２Ａの上端部２ｃの直上部分に位置し、その上端部２ｃに対して間隔をもって配置されている。
【００２３】
吹出し口４は、最上部に設けられるパネル本体２Ａと同じ傾斜角度でパネル表面２ａに対して所定の間隔をあけて略平行に配置される板状部材であり、整流板３から前方へ向けて突出するようにして一体的に設けられている。すなわち、吹出し口４は、パネル後方から流入する空気Ｅを最上部のパネル本体２Ａのパネル表面２ａに向けて強制的に吹き出すように構成されている。
なお、整流板３及び吹出し口４は、例えば鉄板、プラスチック、合成樹脂等の部材を採用することができる。
【００２４】
次に、上述した太陽光発電パネル１の作用について、図面に基づいて詳細に説明する。
図４（ａ）に示すように、太陽光発電パネル１の後方から風が吹いた場合、風上側となるパネル上方側に設けられた整流板３の下面側に空気Ｅが流れ込み、その空気Ｅが吹出し口４から最上部に設けられるパネル本体２Ａのパネル表面２ａに向かう強制風として吹き出されることになる。また、最上部のパネル本体２Ａを除いたパネル本体２Ｂ、２Ｃにおいては、上下に位置する各パネル本体２、２同士の間の流路Ｓを通じてパネル後方から吹く風がパネル表面２ａ側に向けて通過し、この通過風もパネル表面２ａに沿って流通する強制風となる。
【００２５】
また、図４（ｂ）に示すように、太陽光発電パネル１の前方から風が吹いた場合、その空気Ｅが各パネル本体２のパネル表面２ａを通過し、パネル本体２、２同士の間の流路Ｓ（最上部のパネル本体２Ａでは吹出し口４）に流れ込み、パネル本体２の後側へ放出されることになる。つまり、流路Ｓや吹出し口４を設けることにより、それぞれのパネル表面２ａに沿って空気Ｅが流通し易くなり、この通過風が強制風となる。
【００２６】
このように、パネル表面２ａにおいて風上側から風下側へ向けて強制的に送風することにより、風下側での後流渦が発生しにくくなり、さらに渦がパネル表面２ａに付着しにくくなる。そのため、パネル上部での負圧が減少することになり、パネル本体２、或いはパネル本体２を支持する架台本体５の負圧を原因とした浮き上がりを抑制することができる。
【００２７】
また、パネル表面２ａに強制風を吹き掛けることにより、その表面２ａに付いている土埃や粉塵等の汚れを吹き飛ばすことが可能となり、パネル表面部分に空気Ｅが停滞するのを防ぐことができるため、汚れが付着しにくくなる利点がある。
さらに、パネル表面２ａに強制風を吹き掛けることにより、太陽光発電パネル１の発電時の温度上昇を抑制することができ、発電効率を向上させることができる。
【００２８】
上述した本実施の形態による太陽光発電パネルでは、複数配列されるパネル本体２、２同士の間に流路Ｓを設けるとともに、最上部のパネル本体２Ａの上には整流板３を設ける構成とし、すべてのパネル本体２のパネル表面２ａに積極的に風を流通させることで、パネルの風下側の後流渦の発生を防ぎ、パネル上部での負圧の発生を抑えることが可能となり、パネル本体２の浮き上がり防止することができる。
また、各パネル本体２のパネル表面２ａに常時空気Ｅが流れる状態となって空気Ｅの停滞を防ぐことができることから、土埃や粉塵等の付着を少なくすることができ、パネル表面２ａの清掃にかかる手間を低減することができる。
しかも、特別な冷却設備が不要であり、簡単な構成によりパネル表面２ａを冷却して発電効率の低下を防止することができるという効果を奏する。
【００２９】
次に、本発明の太陽光発電パネルによる他の実施の形態について、添付図面に基づいて説明するが、上述の第１の実施の形態と同一又は同様な部材、部分には同一の符号を用いて説明を省略し、第１の実施の形態と異なる構成について説明する。
【００３０】
（第２の実施の形態）
図５乃至図７に示す第２の実施の形態による太陽光発電パネル１Ａは、パネル本体２の形状を平板状でなく、整流板３と同様の形状にした構成のものである。
パネル本体２（２Ａ〜２Ｇ）は、下面側が流線形に形成された細長い羽板状をなし、複数（ここでは７枚）がルーバー状に一方向（斜め下向き）に配列された構成となっており、それぞれが所定の方向（南向き）に向けた傾斜角度で互いに隙間（流路Ｓ）をあけて平行に配置されている。つまり、上下方向に隣り合うパネル本体２、２同士のうち上側に位置するパネル本体２の下端部と下側に位置するパネル本体２の上端部とがそれぞれのパネル面方向に直交する方向に流路Ｓをあけて重ね合わせた状態で配置されている。なお、このパネル面方向のオーバーラップ長は、任意に設定することが可能である。
【００３１】
本実施の形態による架台本体５Ａは、設置面に設けられたベース５１と、複数のパネル本体２Ａ〜２Ｇを配列する設置角度と略平行で斜め後方に向けて配置されるパネル受け斜材５０と、斜め前方に向けて配置され上端部をパネル受け斜材５０の上部及び長さ方向中間部に接合させる支持斜材５４とからなり、これらパネル受け斜材５０及び支持斜材５４がベース５１上に固定された枠構造をなしている。ここで、パネル受け斜材５０の上部と支持斜材５４の接合部を上部角部５ａ（図６、図７）という。
【００３２】
最上部に設けられるパネル本体２Ａには、上部に整流板３Ａ（３）が配置されている。整流板３Ａは、図８（ａ）に示すように後方から吹く風（空気Ｅ）を下面側に通過させてパネル本体２Ａのパネル表面２ａに向けて移動させるように配置されるとともに、図８（ｂ）に示すように前方から吹く風（空気Ｅ）を下面側に通過させて後方側へ向けて流れるように配置されている。
【００３３】
最上部に位置する整流板３Ａには、第１の実施の形態と同様に吹出し口４が一体的に設けられ、吹出し口４から最上部に設けられるパネル本体２Ａのパネル表面２ａに向けて吹き掛けられるようになっている。
また、最下部に設けられるパネル本体２Ｇには、そのパネル下部部分から下方に向けて延びる下部遮風板７が設けられている。下部遮風板７の下端部は、パネル本体２Ｇからベース５１の上面に沿うように湾曲している。最下部に配置されるパネル本体２Ｇは、下部遮風板７の遮風面７ａに対して下方側に向けて開く角度をもって配置され、そのパネル本体２Ｇと遮風面７ａとは所定の間隔をあけて配置されている。
さらに、パネル本体２（２Ａ〜２Ｇ）は、下面側が流線形に形成された細長い羽板状をなしていることで、そのパネル上下面を通過する空気の圧力差でパネル自体に下向きの力（ダウンフォース）が発生することになる。したがって、パネルによって架台本体５Ａを介して太陽光発電パネル１Ａが下方に押さえ付けられるので、パネル自体、或いは架台の浮き上がりをより確実に抑制することができる。
【００３４】
（第３の実施の形態）
図９乃至図１１に示す第３の実施の形態による太陽光発電パネル１Ｂは、上記第２の実施の形態と同様に、パネル本体２の形状を整流板３と同様の形状にした構成のものである。なお、パネル本体２（２Ａ〜２Ｇ）は、第２の実施の形態と同様の構成となるので、ここで詳しい説明は省略する。
【００３５】
本実施の形態による架台本体５Ｂは、設置面にベース５１が設けられ、複数のパネル本体２Ａ〜２Ｇを配列する設置角度と略平行で斜め後方に向けて配置される支持板５３と、この支持板５３の上部を支持する斜め前方に向けて配置される支持斜材５４とがそれぞれの上端同士を互いに接合させた状態でベース５１上に固定された枠構造をなしている。ここで、支持板５３と支持斜材５４の接合部を上部角部５ａ（図１１）という。
【００３６】
最上部に設けられるパネル本体２Ａには、そのパネル上部部分からパネル後側下方に向けて延びる上部遮風板６が設けられている。この上部遮風板６は、上端６ｂが架台本体５の上部角部５ａに固定され、支持斜材５４に沿って下方に向けて延びるとともに、その下端６ｃが後方へ向けて湾曲している。
そして、上部遮風板６には、複数（４枚）の整流板３（３Ａ〜３Ｄ）が後方に面する遮風面６ａに対して間隔をあけて配置されている。これら整流板３Ａ〜３Ｄは、上部遮風板６との間を通過する空気Ｅを上部遮風板６に沿って上方へ移動するように配置されている。
【００３７】
最上部に位置する整流板３Ａには、第１の実施の形態と同様に吹出し口４が一体的に設けられ、上部遮風板６と整流板３Ａ〜３Ｄによって集められた風が吹出し口４から最上部に設けられるパネル本体２Ａのパネル表面２ａに向けて吹き掛けられるようになっている。
また、最下部に設けられるパネル本体２Ｇには、そのパネル下部部分から下方に向けて延びる下部遮風板７が設けられている。下部遮風板７の下端部は、パネル本体２Ｇからベース５１の上面に沿うように湾曲している。最下部に配置されるパネル本体２Ｇは、下部遮風板７の遮風面７ａに対して下方側に向けて開く角度をもって配置され、そのパネル本体２Ｇと遮風面７ａとは所定の間隔をあけて配置されている。
【００３８】
さらに、パネル本体２（２Ａ〜２Ｇ）は、下面側が流線形に形成された細長い羽板状をなしていることで、そのパネル上下面を通過する空気の圧力差でパネル自体に下向きの力（ダウンフォース）が発生することになる。したがって、パネルによって架台本体５Ｂを介して太陽光発電パネル１Ｂが下方に押さえ付けられるので、パネル自体、或いは架台の浮き上がりをより確実に抑制することができる。
【００３９】
この場合、図１２（ａ）に示すように、太陽光発電パネル１Ａの後方から風が吹いた場合、風上側となるパネル上方側に設けられた整流板３Ａ〜３Ｃのそれぞれの下面側に空気Ｅが流れ込み、その空気Ｅが上部遮風板６の遮風面６ａに案内されて吹出し口４側に移動し、吹出し口４から最上部に設けられるパネル本体２Ａのパネル表面２ａに向かう強制風として吹き出されることになる。また、最上部のパネル本体２Ａを除いたパネル本体２Ｂ〜２Ｇにおいては、上下に位置する各パネル本体２、２同士の間の流路Ｓを通じてパネル後方から吹く風がパネル表面２ａ側に向けて通過し、この通過風もパネル表面２ａに沿って流通する強制風となる。
さらに、上部遮風板６によって、より多くの風を集めることが可能となるので、強制風の風量（風速）を大きくすることができ、パネル表面２ａの清浄作用や温度上昇抑制作用による効果を高めることができる。
【００４０】
また、図１２（ｂ）に示すように、太陽光発電パネル１Ａの前方から風が吹いた場合、その空気Ｅが各パネル本体２Ａ〜２Ｇのパネル表面２ａに沿って通過し、各パネル本体２の後方側の流路Ｓ（最上部のパネル本体２Ａでは吹出し口４）に流れ込み、パネル本体２の後側へ放出されることになる。つまり、流路Ｓや吹出し口４を設けることにより、それぞれのパネル表面２ａに沿って空気Ｅが流通し易くなり、この通過風が強制風となる。
【００４１】
以上、本発明による太陽光発電パネルの実施の形態について説明したが、本発明は上記の実施の形態に限定されるものではなく、その趣旨を逸脱しない範囲で適宜変更可能である。
例えば、上述した実施の形態では架台本体５、５Ａ、５Ｂによって太陽光発電パネル１、１Ａ、１Ｂを支持する構成としているが、架台本体５、５Ａ、５Ｂを設ける構成に限定されることはない。例えば、図１３に示すように、住宅等の建物の傾斜屋根５５上に直接パネル本体２（２Ａ〜２Ｇ）を配置させることも可能である。
なお、図１３に示す太陽光発電パネル１Ｃは、上述した第３の実施の形態による羽板形状のパネル本体２Ａ〜２Ｆを側面視で山型の傾斜屋根５５の南側（図１３で屋根頂部より左側）の第１傾斜部５５Ａに採用した一例である。そして、２つの整流板３（３Ａ、３Ｂ）が設けられており、北側（図９で屋根頂部より右側）の第２傾斜部５５Ｂが遮風板の機能を有している。この場合、パネル本体２Ａ〜２Ｆのそれぞれが第１傾斜部５５Ａに対して間隔をあけて配置されていれば、各パネル本体２、２同士の間に形成される流路Ｓを通じて風がパネル本体２の後方側と前方側とを流通することになる。そのため、この通過風もパネル表面２ａに沿って流通する強制風となり、上述した第１乃至第３の実施の形態と同様に太陽光発電パネル１Ａの負圧を原因とした浮き上がりを抑制することができるという作用、効果を奏する。
【００４２】
また、第２の実施の形態では３枚の整流板３Ａ〜３Ｃを設けているが、整流板の設置数量は少なくともパネル上部部分に１枚が設けられていればよく、任意の数量に設定することが可能である。
なお、下部遮風板７、及び下部整流板８は、適宜省略することも可能である。
【００４３】
さらにまた、パネル本体２、整流板３、及び遮風板の形状、材質、向き、取付け位置（遮風板と整流板との間隔、整流板同士の配列間隔）等の構成は、太陽光発電パネルの大きさ、架台本体５の形状、屋根の形状、或いはパネル取り付け箇所の自然条件（例えば、強風が多い場所）等の条件に応じて適宜設定することができる。
【００４４】
その他、本発明の趣旨を逸脱しない範囲で、上記した実施の形態における構成要素を周知の構成要素に置き換えることは適宜可能である。
【符号の説明】
【００４５】
１、１Ａ、１Ｂ、１Ｃ  太陽光発電パネル
２、２Ａ〜２Ｇ  パネル本体
２ａ  パネル表面
２ｂ  パネル裏面
３、３Ａ〜３Ｃ  整流板
４  吹出し口
５、５Ａ、５Ｂ  架台本体
５ａ  上部角部
６  上部遮風板
７  下部遮風板
８  下部整流板
Ｅ  空気
Ｓ  流路
Ｒ  パネルの裏側空間
【図１】
0005633498.tif 000002
【図２】
0005633498.tif 000003
【図３】
0005633498.tif 000004
【図４】
0005633498.tif 000005
【図５】
0005633498.tif 000006
【図６】
0005633498.tif 000007
【図７】
0005633498.tif 000008
【図８】
0005633498.tif 000009
【図９】
0005633498.tif 000010
【図１０】
0005633498.tif 000011
【図１１】
0005633498.tif 000012
【図１２】
0005633498.tif 000013
【図１３】
0005633498.tif 000014
【図１４】
0005633498.tif 000015